(57)【要約】【課題】  電気柵による野生動物の侵入や家畜の侵出を防止するとともに、前記電気柵の電線の電圧を監視することで動物の行動監視および電気柵の保守監視を行うことのできる電気柵用電圧測定装置およびこれを用いた電気柵用電圧監視システムを提供する。【解決手段】  電気柵Ｆにおける電線Ｗの電圧を測定する電気柵用電圧測定装置２であって、電線Ｗの所定の位置の電圧を測定する電圧測定部５と、無線ＬＡＮによる通信機能を備える無線通信部６と、前記電圧測定部５により測定された電圧が所定の電圧以下である場合にその測定電圧および測定時刻を前記無線通信部６から送信させるとともに、その後測定電圧が所定の電圧以上に回復した場合にその測定電圧および測定時刻を前記無線通信部６から送信させる送信制御部７とを有する。【選択図】  図１
2014131494.tif 000002
【特許請求の範囲】
【請求項１】
電気柵における電線の電圧を測定する電気柵用電圧測定装置であって、
前記電線の所定の位置に接続される測定端子および地中に設置されるアース棒に接続されるアース端子を備えるとともに、それら端子間の電圧を測定する電圧測定部と、
無線ＬＡＮによる通信機能を備えるとともに、その無線ＬＡＮを介して外部の電圧監視端末とデータを送受信する無線通信部と、
前記電圧測定部により測定された電圧が所定の電圧以下である場合にその測定電圧および測定時刻を前記無線通信部から送信させるとともに、その後測定電圧が所定の電圧以上に回復した場合にその測定電圧および測定時刻を前記無線通信部から送信させる送信制御部と
を有する電気柵用電圧測定装置。
【請求項２】
前記無線通信部は、前記電圧監視端末により入力される測定開始データおよび／または定期送信間隔データを受信し、前記送信制御部は、前記測定開始データおよび／または前記定期送信間隔データに基づいて測定電圧および測定時刻を定期的に送信する請求項１に記載の電気柵用電圧測定装置。
【請求項３】
監視対象エリアを囲むように設置された電気柵に対して任意の間隔で配置される複数台の請求項１または請求項２に記載の電気柵用電圧測定装置と、
各々の前記電気柵用電圧測定装置から送信される測定電圧および測定時刻を受信して各測定箇所における前記電気柵の異常の有無を監視する電圧監視端末と
を有する電気柵用電圧監視システム。
【請求項４】
監視対象エリアに配置される複数台の前記電気柵用電圧測定装置のうち少なくとも一台がモバイルＷｉＦｉルータを有しており、前記モバイルＷｉＦｉルータは、無線ＬＡＮを用いて前記電気柵用電圧測定装置と通信接続するとともに携帯電話網を用いてインターネット回線に通信接続し、前記電気柵用電圧測定装置から送信される測定電圧および測定時刻を受信すると、これら測定電圧および測定時刻を前記インターネット回線に送信する請求項３に記載の電気柵用電圧監視システム。
【請求項５】
監視対象エリアに配置される複数台の前記電気柵用電圧測定装置は、モバイルＷｉＦｉルータと通信接続可能な台数毎にグループ化されており、各々の前記グループの前記モバイルＷｉＦｉルータは、無線ＬＡＮを用いて同一グループ内の各々の前記電気柵用電圧測定装置と通信接続するとともに携帯電話網を用いてインターネット回線に通信接続し、各々の前記電気柵用電圧測定装置から送信される測定電圧および測定時刻を受信すると、これら測定電圧および測定時刻を前記インターネット回線に送信する請求項３に記載の電気柵用電圧監視システム。
【発明の詳細な説明】
【技術分野】
【０００１】
本発明は、電気柵の電線の電圧を測定することにより動物の侵入や侵出等を監視するための電気柵用電圧測定装置およびこれを用いた電気柵用電圧監視システムに関するものである。
【背景技術】
【０００２】
サル、イノシシ、シカ、野犬等の野生動物による農作物の食害は、農家にとって深刻な問題である。従来、野生動物の侵入防止策として、農地を電線で囲み、電気牧柵器により前記電線に電流を流すことで、前記電線に触れた野生動物に電気的な衝撃を与えて侵入を防止する、いわゆる電気柵が用いられてきた。同様に、牛や馬等の家畜の侵出を防止するためにも電気柵が用いられている。
【０００３】
しかし、電気柵は野外に設けられているため、風雨、倒木、雪の重さ等により断線したり、動物が接触することにより断線することがある。このような問題に対してこれまでに、電気柵の保守・情報管理を容易にした電気柵に関する発明が提案されている。
【０００４】
例えば、特開２０１１−３０４５２号公報では、数百メートル〜数キロメートル毎に設けられた電気牧柵器と、この電気牧柵器から送信される漏電等の情報を収集して電気牧柵器の状態を把握する管理センターの電気牧柵器とからなるネットワーク式電気牧柵器が提案されている（特許文献１）。この特許文献１によると、前記ネットワーク式電気牧柵器は、各電気牧柵器における漏電等の情報を時系列で表示することにより、動物が接触したことによる漏電か否か、または草が接触したことによる漏電か否かを管理することができるとされている。
【先行技術文献】
【特許文献】
【０００５】
【特許文献１】特開２０１１−３０４５２号公報
【発明の概要】
【発明が解決しようとする課題】
【０００６】
しかしながら、特許文献１に記載された発明においては、電気牧柵器毎に漏電の監視がなされているだけであり、実際のところ、どこで動物が接触したか等の詳細な場所はわからない。そのため、漏電等の情報が得られても実際に漏電している箇所を見つけるには、電気牧柵器の対象エリアを全てチェックしなければならないという問題がある。
【０００７】
また、野生動物は、獣道に代表されるようにある一定のパターンで行動することがあり、行動パターンがわかれば、電気柵以外に、例えば、侵入を防止するためのネット等を設ける等の侵入強化策をとることができる。そのため、業界では野生動物の侵入経路や行動パターンを詳細に知りたいというニーズがある。
【０００８】
本発明は、このような問題点を解決するためになされたものであって、電気柵による野生動物の侵入や家畜の侵出を防止するとともに、前記電気柵の電線の電圧を監視することで動物の行動監視および電気柵の保守監視を行うことのできる電気柵用電圧測定装置およびこれを用いた電気柵用電圧監視システムを提供することを目的としている。
【課題を解決するための手段】
【０００９】
本発明に係る電気柵用電圧測定装置は、電気柵における電線の電圧を測定する電気柵用電圧測定装置であって、前記電線の所定の位置に接続される測定端子および地中に設置されるアース棒に接続されるアース端子を備えるとともに、それら端子間の電圧を測定する電圧測定部と、無線ＬＡＮによる通信機能を備えるとともに、その無線ＬＡＮを介して外部の電圧監視端末とデータを送受信する無線通信部と、前記電圧測定部により測定された電圧が所定の電圧以下である場合にその測定電圧および測定時刻を前記無線通信部から送信させるとともに、その後測定電圧が所定の電圧以上に回復した場合にその測定電圧および測定時刻を前記無線通信部から送信させる送信制御部とを有する。
【００１０】
また、本発明の一態様として、前記無線通信部は、前記電圧監視端末により入力される測定開始データおよび／または定期送信間隔データを受信し、前記送信制御部は、前記測定開始データおよび／または前記定期送信間隔データに基づいて測定電圧および測定時刻を定期的に送信するようにしてもよい。
【００１１】
本発明に係る電気柵用電圧監視システムは、監視対象エリアを囲むように設置された電気柵に対して任意の間隔で配置される複数台の前記電気柵用電圧測定装置と、各々の前記電気柵用電圧測定装置から送信される測定電圧および測定時刻を受信して各測定箇所における前記電気柵の異常の有無を監視する電圧監視端末とを有する。
【００１２】
また、本発明の一態様として、監視対象エリアに配置される複数台の前記電気柵用電圧測定装置のうち少なくとも一台がモバイルＷｉＦｉルータを有しており、前記モバイルＷｉＦｉルータは、無線ＬＡＮを用いて前記電気柵用電圧測定装置と通信接続するとともに携帯電話網を用いてインターネット回線に通信接続し、前記電気柵用電圧測定装置から送信される測定電圧および測定時刻を受信すると、これら測定電圧および測定時刻を前記インターネット回線に送信するようにしてもよい。
【００１３】
さらに、本発明の一態様として、監視対象エリアに配置される複数台の前記電気柵用電圧測定装置は、モバイルＷｉＦｉルータと通信接続可能な台数毎にグループ化されており、各々の前記グループの前記モバイルＷｉＦｉルータは、無線ＬＡＮを用いて同一グループ内の各々の前記電気柵用電圧測定装置と通信接続するとともに携帯電話網を用いてインターネット回線に通信接続し、各々の前記電気柵用電圧測定装置から送信される測定電圧および測定時刻を受信すると、これら測定電圧および測定時刻を前記インターネット回線に送信するようにしてもよい。
【発明の効果】
【００１４】
本発明によれば、電気柵による野生動物の侵入や家畜の侵出を防止するとともに、前記電気柵の電線の電圧を監視することで動物の行動監視および電気柵の保守監視を行うことができる。
【図面の簡単な説明】
【００１５】
【図１】本発明に係る電気柵用電圧監視システムの第一実施形態を示す模式図である。
【図２】本第一実施形態の電気柵用電圧測定装置を示すブロック図である。
【図３】本第一実施形態における送信制御部による各種データの送受信を示すブロック図である。
【図４】本第一実施形態における送信制御部の演算処理工程を示すフローチャート図である。
【図５】本第一実施形態における電圧監視端末の表示手段の一例を示す図である。
【図６】本発明に係る電気柵用電圧監視システムの第二実施形態を示す模式図である。
【発明を実施するための形態】
【００１６】
以下、本発明に係る電気柵用電圧測定装置およびこれを用いた電気柵用電圧監視システムの第一実施形態について図面を用いて説明する。
【００１７】
本第一実施形態の電気柵用電圧監視システム１ａは、図１に示すように、主として、監視対象エリアＡの周囲に任意の間隔で配置された複数の電気柵用電圧測定装置２と、各々の前記電気柵用電圧測定装置２で測定された測定電圧および測定時刻をインターネット回線を介して受信して蓄積する測定データ用サーバー３と、この測定データ用サーバー３に蓄積された測定電圧および測定時刻をインターネット回線を介して受信する電圧監視端末４とを有する。以下、各構成について詳細に説明する。
【００１８】
本第一実施形態の電気柵用電圧測定装置２は、図２に示すように、主として、電気柵Ｆの電線Ｗの電圧を測定する電圧測定部５と、無線ＬＡＮによる通信機能を備える無線通信部６と、前記電圧測定部５により測定された測定電圧およびその測定時刻の送信を指令する送信制御部７と、測定データ用サーバ３との通信をおこなうためのアクセスポイントとなるモバイルＷｉＦｉルータ８とを有している。
【００１９】
電圧測定部５は、図２に示すように、電線Ｗの所定の位置に接続される測定端子５１と、地中に設置されるアース棒Ｅに接続されるアース端子５２とを備えており、それら測定端子５１およびアース端子５２の間の電圧を測定するものである。本第一実施形態における電圧測定部５は、送信制御部７における測定指令部７２２からの指令を受信し、その指令に従って所定の時間間隔毎に前記電圧を測定し、その測定電圧および測定時刻を後述する測定データ記憶部７１３に送信して記憶させるようになっている。また、アース棒Ｅは、測定端子５１との電気的な干渉を防止するため、電気柵Ｆおよび電気柵用電圧測定装置２より２ｍ以上離れた場所に設置されることが望ましい。
【００２０】
なお、電圧測定部５は、測定時刻や測定間隔を予め記憶させておき、測定指令部７２２からの指令によらずとも測定および送信が行える構成を採用してもよい。また、本第一実施形態では、１台の電気柵用電圧測定装置２に対して、１つの電圧測定部５を備えているが、複数台の電圧測定部５を備えて複数点の電圧を測定できるように構成してもよい。
【００２１】
無線通信部６は、無線ＬＡＮを用いた通信インターフェースであり、後述する送信制御部７からの測定電圧および測定時刻の送信の指令を受けることにより、指令を受けた測定電圧および測定時刻を所定のアドレスへ送信するようになっている。本第一実施形態における無線通信部６は、図２に示すように、無線ＬＡＮによる通信を行うための無線ＬＡＮコンバータ６１を有している。この無線ＬＡＮコンバータ６１は、無線ＬＡＮ回線によりモバイルＷｉＦｉルータ８と通信接続されるものであり、IEEE 802.11規格に基づく無線通信可能なものである。
【００２２】
なお、無線ＬＡＮの通信規格は、IEEE 802.11規格に限定されるものではなく、通信速度や接続精度、通信費用等を考慮して、適宜選択してもよい。
【００２３】
送信制御部７は、図２に示すように、主として、電気柵用電圧測定プログラム２ａ等を記憶する記憶手段７１と、前記電気柵用電圧測定プログラム２ａに基づき演算処理をおこなう演算処理手段７２とを有している。
【００２４】
記憶手段７１は、ＲＯＭ（Read Only Memory）、ＲＡＭ（Random Access Memory）、ハードディスク、フラッシュメモリ等によって構成されており、各種のデータを記憶するとともに、演算処理手段７２が演算を行う際のワーキングエリアとして機能するものである。
【００２５】
本第一実施形態における記憶手段７１は、図２に示すように、主として、演算処理を行うためのプログラムを記憶するプログラム記憶部７１１と、電圧測定部５の測定開始データ、測定間隔データおよび正常な電圧値として設定される設定電圧等を記憶する各種設定記憶部７１２と、電圧測定部５により測定された測定電圧および測定時刻を記憶する測定データ記憶部７１２とを有している。
【００２６】
プログラム記憶部７１１には、本第一実施形態における電気柵用電圧測定プログラム２ａが記憶されている。そして、演算処理手段７２が、電気柵用電圧測定プログラム２ａを読み出して実行することにより、本第一実施形態の電気柵用電圧測定装置２を後述する各構成部として機能させるようになっている。
【００２７】
なお、電気柵用電圧測定プログラム２ａの利用形態は、上記構成に限られるものではなく、ＣＤ−ＲＯＭ等の記録媒体に記憶させておき、この記録媒体からコンピュータ等によって直接起動して実行し得るようにしてもよい。
【００２８】
各種設定記憶部７１２には、測定電圧が異常であるか否かを判別する際の基準値となる設定電圧が記憶されているとともに、電気柵用電圧測定装置２を動作させるための各種設定データが記憶されている。本第一実施形態では、測定された電線Ｗの電圧を定期的に電圧監視端末４へ送信するための測定開始時刻である測定開始データと、測定電圧および測定時刻を定期的に送信する間隔である定期送信間隔データとが記憶されている。
【００２９】
本第一実施形態における各種設定記憶部７１２に記憶されている、測定開始データ、定期送信間隔データおよび設定電圧は、測定データ用サーバ３に記憶されており、演算処理手段７２の各種設定取得部７２１が、前記測定データ用サーバ３にアクセスして、前記測定開始データ、前記定期送信間隔データおよび前記設定電圧を取得し、前記各種設定記憶部７１２に記憶するようになっている。
【００３０】
なお、測定開始データ、定期送信間隔データおよび設定電圧は、予め、各種設定記憶部４１２に記憶させておいてもよく、電気柵用電圧測定装置２に入力手段や表示手段を設けて直接入力や確認等ができるように構成してもよい。
【００３１】
測定データ記憶部７１３は、電圧測定部５に測定された測定電圧および測定時刻を記憶するものである。本第一実施形態では、上述のとおり、電圧測定部５から所定の時間間隔毎に送られてくる測定電圧および測定時刻を取得し、設定電圧との比較のために一時的に記憶させるようになっている。
【００３２】
なお、測定データ記憶部４１３に記憶させた測定電圧や測定時刻は、上述のように、一時的に記憶させるものに限定されるものではなく、データを蓄積できるようにしてもよい。
【００３３】
演算処理手段７２は、ＣＰＵ（Central Processing Unit）等から構成されており、記憶手段７１に記憶された電気柵用電圧測定プログラム２ａを実行することにより、図２に示すように、各種設定取得部７２１、測定指令部７２２、異常判別部７２３、復帰判別部７２４および定期送信部７２５として電気柵電圧測定装置２を機能させるようになっている。
【００３４】
各種設定取得部７２１は、無線通信部６を介して専用の測定データ用サーバ３にアクセスするとともに、前記測定データ用サーバ３に記憶された前記測定開始データ、前記定期送信間隔データおよび前記設定電圧を取得し、前記各種設定記憶部７１２に記憶させるものである。本実施形態における各種設定取得部７２１は、電源が投入されて無線通信部６と前記測定データ用サーバ３とのアクセスが初めて確立したときや予め設定された時間間隔毎に機能するようになっている。
【００３５】
測定指令部７２２は、各種設定記憶部７１２に記憶された測定開始データを取得し、電圧測定部５に対して電圧測定を実行する指令を出すものである。本実施形態では、電気牧柵器Ｐにより電線Ｗに電流を流す間隔毎に電圧を測定するようになっている。
【００３６】
異常判別部７２３は、電圧測定部５または測定データ記憶部７１２から送られた測定電圧を取得し、各種設定記憶部５１２に記憶された設定電圧とを比較して、測定電圧が設定電圧以下か否かを判別するとともに、設定電圧以下であると判別した場合には、その測定電圧および測定時刻を送信する指令を無線通信部６へ出力するようになっている。
【００３７】
復帰判別部７２４は、異常判別部７２３により測定電圧が設定電圧以下であると判別された後に、測定電圧と設定電圧とを比較して、測定電圧が設定電圧以上であるか否かを判別するとともに、設定電圧以上である場合には、その測定電圧および測定時刻を送信する指令を無線通信部６へ出力するものである。
【００３８】
定期送信部７２５は、各種設定記憶部７１２に記憶された定期通信間隔データを取得し、電圧測定部５または測定データ記憶部７１３に記憶された測定電圧および測定時刻を定期的に送信する指令を無線通信部６へ出力するものである。
【００３９】
モバイルＷｉＦｉルータ８は、無線ＬＡＮ回線を用いて所定の数の無線ＬＡＮ機器と無線通信を可能とするものであり、かつ携帯電話網を用いてインターネット回線に通信を可能とするものである。つまり、モバイルＷｉＦｉルータ８は、前記無線ＬＡＮ機器とインターネット回線に接続された機器とを通信を可能とするものである。このモバイルＷｉＦｉルータ８は、各携帯通信事業者等により販売された市販のものを用いることができる。
【００４０】
本第一実施形態におけるモバイルＷｉＦｉルータ８は、図２に示すように、無線通信部６と無線ＬＡＮ回線を用いて通信接続されるとともに、インターネット回線に接続された測定データ用サーバ３と通信接続されている。
【００４１】
なお、モバイルＷｉＦｉルータ８に用いられる携帯電話網は、特に限定されるものではなく、３Ｇ回線、４Ｇ回線、ＬＴＥ回線、ＷｉＭＡＸ回線等のデータ通信可能なものから適宜選択されるものである。
【００４２】
次に、測定データ用サーバ３について説明する。測定データ用サーバ３はインターネット回線に接続されており、電気柵用電圧測定装置２から送信される測定電圧および測定時刻のデータを蓄積し、電圧監視端末４から所定のアドレスにアクセスすることにより電圧を監視できるように構成されている。また、本実施形態における測定データ用サーバ３は、電圧監視端末４により入力された測定開始データおよび／または定期送信間隔データを受信して記憶するようになっている。
【００４３】
なお、本実施形態では、コストのメリットや実用的なシステム構築に鑑みて電気柵用電圧測定装置２から送信される測定電圧および測定時刻を測定データ用サーバ３に蓄積させ、電圧監視端末４を前記測定データ用サーバ３にアクセスさせることにより、電気柵の電圧状況を監視させているが、このようなシステムに限定されるものではなく、例えば、測定電圧や測定時刻のデータを直接的に電圧監視端末４に送信するようにしてもよい。
【００４４】
次に、電圧監視端末４について説明する。電圧監視端末４は、図１に示すように、インターネット回線に接続されており、インターネット回線を介して様々なデータの送受信ができるようになっている。
【００４５】
本第一実施形態における電圧監視端末４は、パーソナルコンピュータからなり、主として、測定開始データ、定期送信間隔データおよび設定電圧等を入力する入力手段４１と、受信した測定電圧や測定時刻等を表示する表示手段４２とを有している。
【００４６】
入力手段４１は、テキストや数値を入力する操作キーやタッチパネル等から構成されている。本第一実施形態においては、測定開始データ、定期送信間隔データ、設定電圧等の設定値の入力操作等に用いることができる。
【００４７】
表示手段４２は、画像やテキストデータを表示する液晶ディスプレー等から構成されている。本第一実施形態では、測定データ用サーバ３から受信した測定電圧や測定時刻、および測定開始データ等の各種設定値等を表示し、測定箇所における電気柵Ｆの異常の有無を監視できるようになっている。
【００４８】
なお、電圧監視端末４はパーソナルコンピュータに限定されるものではなく、インターネット回線に通信接続可能な通信機器、例えば、タブレット端末や携帯端末であってもよい。
【００４９】
次に、本第一実施形態の電気柵用電圧測定装置２およびこれを用いた電気柵用電圧監視システム１ａにおける各構成の作用について説明する。
【００５０】
まず、本第一実施形態では、電圧監視端末４の入力手段４１により、測定開始データ、定期送信間隔データおよび設定電圧が入力される。電圧監視端末４は、図３に示すように、入力された前記測定開始データ、前記定期送信間隔データおよび前記設定電圧を、インターネット回線を介して測定データ用サーバ３に送信する。
【００５１】
次に、各々の電気柵用電圧測定装置２の各種設定取得部７２１が、測定データ用サーバ３にアクセスして、測定開始データ、定期送信間隔データおよび前記設定電圧を取得し、各種設定記憶部７１２に記憶させる。本第一実施形態では、各々の電気柵用電圧測定装置２の電源が投入され、前記電気柵用電圧測定装置２と前記測定データ用サーバ３とが通信接続されたときに各種データの取得が行われる（Ｓ１）。
【００５２】
各々の電気柵用電圧測定装置２の測定指令部７２２は、測定開始データに基づき電圧測定部５に電気柵Ｆの電線Ｗの電圧を測定させる（Ｓ２）。電圧測定部５は、電気柵Ｆの電線Ｗに接続された測定端子５１と、アース棒Ｅに接続されたアース端子５２との間に生じる電圧を測定する。本第一実施形態では、図３に示すように、所定の時間間隔毎の測定電圧および測定時刻を測定データ記憶部７１３に送信して一時的に記憶させる。
【００５３】
次に、送信制御部７では、測定電圧の値に応じて演算処理が行われる。図３に示すように、本第一実施形態では、異常判別部７２３が各種設定記憶部７１２に記憶されている設定電圧と、測定データ記憶部７１３に記憶された測定電圧とを取得して比較する（Ｓ３）。この比較結果により、前記測定電圧が前記設定電圧以下であると判別された場合（Ｓ３：ＹＥＳ）は、図４に示すように、無線通信部６に対してその測定電圧を測定時刻とともに送信するように指令する。
【００５４】
一方、測定電圧が設定電圧以上であると判別された場合（Ｓ３：ＮＯ）は、図４に示すように、電圧測定部５による電圧の測定および異常判別部７２３による測定電圧と設定電圧の比較が繰り返される（Ｓ２〜Ｓ３）。
【００５５】
無線通信部６では、図３に示すように、送信制御部７から測定電圧および測定時刻を送信するように指令を受けると、無線ＬＡＮから測定電圧および測定時刻をインターネット回線に接続された測定データ用サーバ３に送信する。
【００５６】
本第一実施形態では、図２に示すように、モバイルＷｉＦｉルータ８が、無線通信部６と無線ＬＡＮ回線により通信接続されているとともに、図１に示すように、携帯電話網を介してインターネット回線に接続されている。よって、無線通信部６から送信された測定電圧および測定時刻は、図１に示すように、無線ＬＡＮ回線、携帯電話網およびインターネット回線を介して測定データ用サーバ３へと送信される。
【００５７】
このように、各々の電気柵用電圧測定装置２は、電気柵Ｆの電線Ｗの電圧が設定された電圧以下になった場合に異常と判別し、その測定電圧および測定時刻を順次測定データ用サーバ３へと送信するようになっている。
【００５８】
次に、図４に示すように、異常判別部７２３において測定電圧が設定電圧以下であると判別された電気柵用電圧測定装置２では、測定電圧が設定電圧以上に復帰したか否かを判別する（Ｓ５〜Ｓ６）。具体的には、図３に示すように、電圧測定部５が電圧を測定する（Ｓ５）とともに、復帰判別部７２４が各種設定記憶部７１２に記憶されている測定電圧および測定時刻と設定電圧とを取得し、前記測定電圧と前記設定電圧との大小を比較する（Ｓ６）。比較結果により、前記測定電圧が前記設定電圧以上であると判別された場合（Ｓ６：ＹＥＳ）は、無線通信部６に対してその測定電圧および測定時刻を送信するように指令する。そして、再び、異常判別部７２３により測定電圧の監視を行う。
【００５９】
復帰判別部７２４により指令を受けた無線通信部６では、その測定電圧および測定時刻をインターネット回線に接続された測定データ用サーバ３に送信する（Ｓ７）。
【００６０】
一方、測定電圧が設定電圧以下であると判別された場合（Ｓ６：ＮＯ）は、図４に示すように、電圧測定部５による電圧の測定および測定電圧と設定電圧との大小を比較が行われ、前記測定電圧が前記設定電圧以上になるまで、測定電圧と設定電圧との大小の比較を続ける（Ｓ５〜Ｓ６）。
【００６１】
このように、各々の電気柵用電圧測定装置２は、一度、所定の電圧以下となり、その後、その箇所の電圧が設定された電圧以上になった場合に、その箇所における電圧が正常値に復帰したと判別し、その測定電圧および測定時刻を順次測定データ用サーバ３へと送信するようになっている。
【００６２】
また、定期送信部７２５では、電圧の異常であるか否か等にかかわらず、定期的に測定電圧および測定時刻を測定データ用サーバ３に送信する。本第一実施形態では、図３に示すように、各種設定記憶部７１２に記憶された定期通信間隔データに基づいて、定期送信部７２５が所定の時間間隔毎に測定データ記憶部７１３に一時的に記憶された測定電圧および測定時刻を読み出して、無線通信部６に送信するように指令する。
【００６３】
無線通信部６では、その測定電圧および測定時刻をインターネット回線に接続された測定データ用サーバ３に送信する。
【００６４】
このように、本第一実施形態では、電気柵Ｆにおける電圧の異常の有無にかかわらず、測定電圧および測定時刻を定期的に測定データ用サーバ３に送信する。
【００６５】
電圧監視端末４では、測定データ用サーバ３に設けられた所定のアドレスにアクセスすることで、電気柵用電圧測定装置２から送信された測定電圧および測定時刻を取得し、表示手段４２に表示することによりユーザーが測定電圧を監視できるようになっている。
【００６６】
本実施形態では、図５に示すように、各々の電気柵用電圧測定装置２に番号が付されており、各々の電気柵用電圧測定装置２において、異常判別部７２３が測定電圧を異常と判別した場合のその測定電圧および測定時刻、復帰判別部７２４が測定電圧を正常に復帰したと判別した場合のその測定電圧および測定時刻、および定期送信部７２５が定期的に送信した測定電圧および測定時刻が表示されるようになっている。
【００６７】
また、ユーザーは、この表示手段に表示された、測定電圧および測定時刻に基づいて動物の侵入・侵出や電気柵の異常等を監視することができる。
【００６８】
例えば、図５に示すように、ナンバー１の電気柵用電圧測定装置２では、定期的に受信した測定電圧および測定時刻のみが表示されている。よって、この電気柵用電圧測定装置２が測定している測定箇所では異常は検出されたなったことがわかる。
【００６９】
次に、ナンバー２の電気柵用電圧測定装置２では、定期的に受信した測定電圧および測定時刻とともに、測定電圧が設定電圧以下になった測定電圧および測定時刻が表示されている。また、その後、測定電圧が設定電圧異常に復帰した測定電圧および測定時刻が表示されている。よって、この電気柵用電圧測定装置２が測定している測定箇所では、一度、測定電圧が設定電圧以下に低下したが、その後設定電圧以上に復帰したことがわかる。また、測定時刻を見ると、異常後にすぐ復帰している。よって、この場合は、動物等が電線に触れ、電圧が一時的に低下したものであると判断することができる。
【００７０】
よって、この電気柵用電圧測定装置の近傍に野生動物が通る可能性があり、他の侵入防止策等を取ることができる。
【００７１】
次に、ナンバー３の電気柵用電圧測定装置２では、定期的に受信した測定電圧および測定時刻と、測定電圧が設定電圧以下になった測定電圧および測定時刻が表示されている。この場合は、草木等の静止物体が電線に触れてショートしている状態や断線した状態であると考えられる。よって、この測定箇所の現場のみをチェックすることで、電線の異常原因を把握することができ、状況に応じて草刈りや倒木の除去や電線の補修等の保守作業を直ちに行うことができる。
【００７２】
次に、ナンバー４の電気柵用電圧測定装置２では、定期的に受信した測定電圧および測定時刻が、ある時刻以降に表示されていない状態である。この場合は、電気柵用電圧測定装置２から測定電圧および測定時刻が送信されていない状態であり、電気柵用電圧測定装置２が故障等のトラブルを起こしたと判断することができる。よって、電気柵用電圧測定装置２の故障を把握することが可能になりシステム全体のメンテナンスが容易になる。
【００７３】
なお、異常判断や故障の判断等は、演算処理により自動で判断できるようにしてもよく、それを表示手段に表示する等してユーザーが監視できるようにしてもよい。
【００７４】
以上のような本第一実施形態によれば、以下のような効果を得ることができる。
１．野生動物や家畜が通る可能性が高い位置を特定することができ、それに応じた侵入防止策を改善・強化することができる。
２．監視対象エリアＡが広範囲であったとしてもモバイルＷｉＦｉルータ８を用いることにより場所を選ばず通信接続することができ、コストや設置費用の手間を省力化できる。
３．モバイルＷｉＦｉルータ８を自由に選択することができるため、システム全体を簡単かつ安価に構築することができる。
４．電気柵Ｆおよび電気柵用電圧測定装置２の故障およびトラブルが生じている箇所が瞬時にわかるため保守監視が容易になる。
【００７５】
次に、本発明に係る電気柵用電圧測定装置およびこれを用いた電気柵用電圧監視システムの第二実施形態について説明する。なお、本第二実施形態のうち、前述した第一実施形態の構成と同一若しくは相当する構成については同一の符号を付して再度の説明を省略する。
【００７６】
本第二実施形態の電気柵用電圧監視システム１ｂは、図６に示すように、第一実施形態と同様、複数台の前記電気柵用電圧測定装置２と、測定データ用サーバ３と、電圧監視端末４とを有している。
【００７７】
一方、複数台の電気柵用電圧測定装置２は、モバイルＷｉＦｉルータ８と通信接続可能な台数毎にグループ化されている。本第二実施形態では、図６に示すように、第一グループから第三グループまでの３グループに分けられた例を示す。
【００７８】
また、本第二実施形態の電気柵用電圧測定装置２は、モバイルＷｉＦｉルータ８を備えているものと、備えていないものとがある。具体的には、各グループに１台ずつモバイルＷｉＦｉルータ８を備えた電気柵用電圧測定装置２があり、そのモバイルＷｉＦｉルータ８は、同一グループ内の各々の電気柵用電圧測定装置２とも通信接続されるようになっている。これは、モバイルＷｉＦｉルータ８が複数の無線ＬＡＮ機器と同時接続可能とする機能を用いたものである。
【００７９】
なお、無線通信部６とモバイルＷｉＦｉルータ８とが距離等の影響により通信接続がしづらい場合や通信接続受信できない場合は、無線通信部６とモバイルＷｉＦｉルータ８との間に、無線ＬＡＮ機器同士を通信可能に接続する、いわゆる中継器を設けるようにしてもよい。これにより、より広範囲に及ぶエリアを監視対象にすることが可能となる。
【００８０】
以上のように、本第二実施形態における電気柵用電圧測定装置２およびこれを用いた電気柵用電圧監視システム１ｂでは、電気柵用電圧監視システム１ｂ全体におけるモバイルＷｉＦｉルータ８の台数を減らすことが可能となり、モバイルＷｉＦｉルータ８のレンタル費用や買い取り費用、および契約費用等を削減することができ、よりシステムの導入がし易くなって実用的である。
【００８１】
なお、本発明に係る電気柵用電圧測定装置およびこれを用いた電気柵用電圧監視システムは、前述した各実施形態に限定されるものではなく、適宜変更することができる。
【００８２】
例えば、測定データ用サーバ３は、一般的なＷｅｂサーバの一領域を使用することにより構成してもよく、専用サーバにより構成してもよい。
【符号の説明】
【００８３】
１  電気柵用電圧監視システム
２  電気柵用電圧測定装置
３  測定データ用サーバ
４  電圧監視端末
５  電圧測定部
６  無線通信部
７  送信制御部
８  モバイルＷｉＦｉルータ
４１  入力手段
４２  表示手段
５１  測定端子
５２  アース端子
６１  無線ＬＡＮコンバータ
７１  記憶手段
７２  演算処理手段
７１１  プログラム記憶部
７１２  各種設定記憶部
７１３  測定データ記憶部
７２１  各種設定取得部
７２２  測定指令部
７２３  異常判別部
７２４  復帰判別部
７２５  定期送信部
Ａ  監視対象エリア
Ｆ  電気柵
Ｐ  電気牧柵器
Ｗ  電線
Ｅ  アース棒
【図１】
2014131494.tif 000003
【図２】
2014131494.tif 000004
【図３】
2014131494.tif 000005
【図４】
2014131494.tif 000006
【図５】
2014131494.tif 000007
【図６】
2014131494.tif 000008